(57)【要約】【課題】意匠上の見栄えが良い建物用空間区画構造およびバルコニー手摺構造を提供すること。【解決手段】内側空間ＳＩと外側空間ＳＯを区画する境界に間隔をおいて設けられた少なくとも２つの手摺支柱４８と、互いに平行に設けられ且つ上下に間隔をおいて手摺支柱４８に取り付けられた複数の横桟としての面材パネル４７を備えている。横桟としての面材パネル４７は、横方向に延びる板部４７ａと、板部４７ａの上縁に沿って裏面に長手方向両端まで設けられた上中空突出縁部４７ｂと、板部４７ａの下縁に沿って裏面に長手方向両端まで設けられた下中空突出縁部４７ｃを有する。【選択図】図３Ｃ
2018066266.tif 000002
【特許請求の範囲】
【請求項１】
内側空間と外側空間を区画する境界に間隔をおいて設けられた少なくとも２つの支持部と、互いに平行に設けられ且つ上下に間隔をおいて前記少なくとも２つの支持部に取り付けられた複数の横桟を備える建物用空間区画構造において、
前記横桟は、
横方向に延びる板部と、前記板部の上縁に沿って、裏面に長手方向両端まで設けられた上中空突出縁部と、前記板部の下縁に沿って、裏面に長手方向両端まで設けられた下中空突出縁部とを備えた面材パネルであることを特徴とする建物用空間区画構造。
【請求項２】
請求項１に記載の内側空間が建物のバルコニーの手摺で囲まれるバルコニー空間であり、前記手摺が前記建物用空間区画構造である手摺面材を備えることを特徴とするバルコニー手摺構造。
【発明の詳細な説明】
【技術分野】
【０００１】
本発明は、建物用空間区画構造およびバルコニー手摺構造に関するものである。
【背景技術】
【０００２】
従来、住宅等の建物におけるバルコニーの手摺として、通風性、採光性を確保するための何らかの開口部を備えたものが知られている。例えば、手摺の全体を格子状の枠で構成したものや、腰壁の一部に開口窓を設けたものがそれである。
【０００３】
さらに、バルコニーを居住空間の一部と考え、通風性、採光性と同時に、バルコニーにおけるプライバシーを確保するため、手摺の開口部に外部からの視界を調節する平板状の横桟を複数取付けることも知られている（特許文献１無し６参照）。
【０００４】
また、手摺の開口部に横桟を取付ける構造において、横桟は子供や幼児等が手摺りによじの登ろうとするための足掛かりとなる虞があるので、これを防止するようにしたものも考えられている（特許文献７参照）。
【先行技術文献】
【特許文献】
【０００５】
【特許文献１】特開昭６３−２６５０９５号公報
【特許文献２】特開平７-１８８０９号公報
【特許文献３】特開平１１−１８１８７８号公報
【特許文献４】特開２００３−３１３９３９号公報
【特許文献５】実開昭５７−８２５３号公報
【特許文献６】実開平２−１４１０３７号公報
【特許文献７】特開平７−１８８１０号公報
【発明の概要】
【発明が解決しようとする課題】
【０００６】
しかし、平板状の横桟を複数取付けた手摺構造では、バルコニーを居住空間の一部と考えるため、バルコニーを外側から見た外観も意匠上の見栄えの観点で重要となる。
【０００７】
そこで、この発明は、意匠上の見栄えが良く、子供や幼児等の加重発生対象に対して足掛かりにならない建物用空間区画構造およびバルコニー手摺構造を提供することを目的とするものである。
【課題を解決するための手段】
【０００８】
この目的を達成するために、この発明は、内側空間と外側空間を区画する境界に間隔をおいて設けられた少なくとも２つの支持部と、互いに平行に設けられ且つ上下に間隔をおいて前記少なくとも２つの支持部に取り付けられた複数の横桟を備える建物用空間区画構造において、
前記横桟は、
横方向に延びる板部と、前記板部の上縁に沿って、裏面に長手方向両端まで設けられた上中空突出縁部と、前記板部の下縁に沿って、裏面に長手方向両端まで設けられた下中空突出縁部とを備えた面材パネルであることを特徴とする。
【発明の効果】
【０００９】
この構成によれば、横桟は各横桟の上面が前記内側空間側から前記外側空間側への下り傾斜面とされているので、意匠上の見栄えが良くなる。しかも、横桟の上面の内側空間側縁部には、横桟の内側空間側縁部に沿って延び且つ上方に突出する垂直小突出片が一体に設けられているので、子供や幼児等の加重発生対象者が垂直小突出片に足を掛けてよじ登ろうとしたとき、子供や幼児等の加重発生対象者の体重が足の狭い範囲から垂直小突出片に作用するため、足掛かりになるのを防止できる。
【図面の簡単な説明】
【００１０】
【図１】（ａ）はこの発明に係るバルコニー手摺構造を空間区画構造として有するユニット建物の概略斜視図、（ｂ）は（ａ）のユニット建物を出隅部Ｃ１側から見た部分拡大斜視図である。
【図２】図１のバルコニーが設けられた建物ユニットの枠組構造体の概略斜視図である。
【図３】図１のＡ１−Ａ１線に沿う断面図である。
【図３Ａ】手摺面材の側部の手摺支柱への取付を示す要部拡大説明図である。
【図３Ｂ】図３Ａを左側から見た手摺面材の隣接部の説明図である。
【図３Ｃ】図３Ｂの隣接する手摺面材と支柱との関係を示す部分斜視図である。
【図３Ｄ】図３Ａの手摺面材の水平方向の中間部と手摺支柱との取付関係を示す断面図である。
【図３Ｅ】図３Ｄの左側面図である。
【図３Ｆ】図３Ｄの手摺面材と支柱との関係を示す部分斜視図である。
【図３Ｇ】図３Ａの手摺面材に用いられる横桟（面材パネル）の縦断面図である。
【図３Ｈ】図３Ａの手摺面材における最上部の横桟（面材パネル）と手摺支柱との関係を示す部分拡大説明図である。
【図３Ｉ】（ａ）は手摺面材の横桟（面材パネル）の比較例、（ｂ）は図３Ａの手摺面材における横桟（面材パネル）の作用説明図である。
【図３Ｊ】（ａ）は図３Ａの手摺面材の横桟（面材パネル）に作用する荷重派生対象者の足の幅の説明図、（ｂ）は（ａ）の平面図、（ｃ）は（ａ）の横桟の高さ、厚さ、及び荷重の作用範囲を示す説明図である。
【図４】図３の要部拡大図である。
【図５】図３に示した建物ユニットの上桁梁と手摺取付部材の取付部を矢印Ａ２方向から見た拡大側面図である。
【図６】図５のＡ３−Ａ３線に沿う断面図である。
【図７】図３に示した手摺取付部材とバルコニーの手摺壁の分解斜視図である。
【図８】図７に示した短柱と建物ユニットの支柱（柱材）との関係を示す断面図である。
【図９】図４のＡ４の手摺支柱の取付部および図１のＢ１−Ｂ１線における断面の手摺支柱の取付部の部分拡大図である。
【図１０】図９のＡ５−Ａ５線に沿う断面図である。
【図１１】図９のＡ６−Ａ６線に沿う断面図である。
【図１２】図３の手摺面材及び手摺支柱と建物ユニット側に固定した下壁部の分解斜視図である。
【図１３】図１２の手摺面材と手摺面材の手摺支柱の下端部に設けられる環状スペーサの分解斜視図である。
【図１４】図１２の手摺支柱を面材取付フレームのカバーに設けた挿通孔に環状スペーサを介して配設した部分斜視図である。
【図１５】図７の手摺支柱と環状スペーサ及び手摺面材の位置関係を示す平面図である。
【発明を実施するための形態】
【００１１】
以下、この発明に係る建物用付帯構造物を図面に基づいて説明する。
［実施例１］
【００１２】
図１（ａ）はこの発明に係るバルコニー手摺構造を空間区画構造として有するユニット建物の概略斜視図、図１（ｂ）は図１（ａ）のユニット建物を出隅部Ｃ１側から見た部分拡大斜視図、図２は図１の建物ユニットを構成する枠組構造体の概略斜視図である。また、図３は図１のＡ１−Ａ１線に沿う断面図、図４は図３の要部拡大図で、図５は図３に示した建物ユニットの上桁梁と手摺取付部材の取付部を矢印Ａ２方向から見た拡大側面図である。更に、図６は図５のＡ３−Ａ３線に沿う断面図、図７は図３に示した手摺取付部材とバルコニーの手摺壁の分解斜視図である。
【００１３】
図１（ａ）に示したユニット建物１は、複数の建物ユニット１Ａ〜１Ｇを水平方向および縦方向（上下方向）に並設することにより構築したものである。この複数の建物ユニット１Ａ〜１Ｇのうち１Ａ〜１Ｄは１階の建物ユニットであり、１Ｅ〜１Ｇは２階の建物ユニットである。この建物ユニット１Ａ〜１Ｄは１階において水平方向に並設固定されている。また、２階の建物ユニット１Ｅ〜１Ｇは、１階の建物ユニット１Ｂ〜１Ｇの上に固定されているていると共に、水平方向に並設固定されている。
【００１４】
建物ユニット１Ａは、図２に示したような骨組構造体２を有する。この骨組構造体２は、四隅に配設した４本（複数）の支柱（柱材）３と、妻側に配置された支柱３，３の下端部間を連結する下妻梁（図示せず）と、桁側に配置された支柱３，３の下端部間を連結する下桁梁（図示せず）を有する。また、骨組構造体２は、妻側に配置された支柱３，３の上端部間を連結する上妻梁４と、桁側に配置された支柱３，３の上端部間を連結する上桁梁５を有する。この上妻梁４および上桁梁５は図２に示したように一対設けられている。
【００１５】
＜床支持フレーム６＞
この一対の上妻梁４及び上桁梁５で囲まれる部分には図２に示した床支持フレーム６が設けられる。この床支持フレーム６は、一対の上桁梁５，５に沿って長手方向両端部までそれぞれ延びる根太支持部材７，７と、この根太支持部材７，７に渡架される複数の根太８を有する。この根太８の両端部は木ねじ等の根太固定手段（図示せず）で根太支持部材７，７にそれぞれ固定されている。
【００１６】
この根太支持部材７は、図３，図４に示したように上桁梁５に支持されている。また、根太支持部材７は、図４に示したように上桁梁５及び根太支持部材７を貫通するボルト９と、このボルト９の先端部に螺着されたナット１０により、上桁梁５に締め付け固定されている。
【００１７】
＜バルコニー１１＞
また、建物ユニット１Ａの上面には、図１（ａ）、図１（ｂ）に示したバルコニー１１が取り付けられている。このバルコニー１１は、建物ユニット１Ａの上面に設けられたバルコニー床部材（バルコニー床）１２と、建物ユニット１Ａの上面の周縁に設けられた手摺壁１３を有する。この手摺壁１３は、妻側手摺壁１３ａと、桁側手摺壁１３ｂを有する。妻側手摺壁１３ａは下手摺壁１４と上手摺壁１５を備え、桁側手摺壁１３ｂは下手摺壁１４と上手摺壁１５を備えている。尚、手摺壁１３は、通常の平均的な大人の腰の高さより高く形成されている。
【００１８】
（下手摺壁１４，１４′）
この下手摺壁１４，１４′の構成部品は実質的に同じであるので、桁側の下手摺壁１４′について説明し、妻側の下手摺壁１４については桁側の下手摺壁１４′と同じ符号を付して詳細な説明を省略する。
【００１９】
図３，図４，図９に示したように、桁側の下手摺壁１４′は、面材取付部材１６と、面材取付部材１６の内側に設けられた水切りカバー１７と、面材取付部材１６の外側に設けられた外側カバー（化粧板）１８と、面材取付部材１６の上部を覆う上カバー１９を有する。この水切りカバー１７及び上カバー１９の内側縁部は固定ネジ２０で面材取付部材１６の内側に固定され、外側カバー１８と上カバー１９の外側縁部は固定ネジ２１で面材取付部材１６の外側に固定されている。
【００２０】
面材取付部材１６は、図１（ａ）、図１（ｂ）に示した１階の建物ユニット１Ａの３つの支柱（柱材）３上にそれぞれ配置される３つの短柱２２，２２ａ，２２ｂを図７に示したように有する。尚、下手摺壁１４（１４′）および短柱２２，２２ａ，２２ｂは、本実施例では手摺壁１３全体の数分の１の低い高さ（例えば、手摺壁１３の１／５程度の高さ）に形成されている。
【００２１】
この短柱２２は、図７に示した建物ユニット１Ａの出隅部Ｃ１における支柱３上に図５〜図７のように配置される。また、他の短柱２２ａ，２２ｂは、図７に示したように、建物ユニット１Ａの出隅部Ｃ１に対応するコーナ部Ｃ２，Ｃ３の支柱３，３上に配置される。尚、コーナ部Ｃ２，Ｃ３は、出隅部Ｃ１の支柱３から延びる上妻梁４および上桁梁５の他端側に位置している。
【００２２】
また、面材取付部材１６は、図７に示したように、出隅部Ｃ１の短柱２２の上端部とコーナ部Ｃ２の短柱２２ａの上端部との間に架け渡された妻側面材取付梁２３と、出隅部Ｃ１の短柱２２の上端部とコーナ部Ｃ３の短柱２２ｂの上端部との間に架け渡された桁側面材取付梁２４と、妻側面材取付梁２３と平行に設けられ且つコーナ部Ｃ２の短柱２２ａの下端部に連結された倒れ防止梁２５を有する。
【００２３】
しかも、妻側面材取付梁２３上には複数のアンカー材２６が長手方向に間隔をおいて取り付けられ、桁側面材取付梁２４上には複数のアンカー材２７が長手方向に間隔を置いて取り付けられている。
【００２４】
更に、短柱２２，２２ａ，２２ｂは、図８に示したように、内部に上下に延びる空間Ｓａが形成されていると共に、上端および下端に上壁Ｕｗおよび下壁Ｌｗを有する。この上壁Ｕｗにはネジ穴Ｓｗが形成され、下壁Ｌｗにはボルト挿通孔Ｂｓｗが形成されている。このネジ穴Ｓｗおよび空間Ｓａが、工具挿入用の貫通孔Ｈを形成している。尚、建物ユニット１Ａの支柱（柱材）３の上端には端壁３ａが設けられていて、この端壁３ａの下面にはナット３ｂが溶接固定されている。そして、このナット３ｂに固定ボルト２８が螺着され、この固定ボルト２８の上端部側が端壁３ａから上方に突出させられている。また、短柱２２，２２ａ，２２ｂの下端部には点検穴Ｖｈが形成されている。
【００２５】
そして、図５，図６，図８に示したように、短柱２２は固定ボルト２８とナット２９により出隅部（コーナ部）Ｃ１の支柱３上に取り付けられている。同様に短柱２２ａ、２２ｂも、図２のコーナ部Ｃ２，Ｃ３の固定ボルト２８とナット２９を介して、図８のように支柱３，３に取り付けられている。
【００２６】
このような短柱２２（２２ａ，２２ｂ）の支柱３への取り付けに際しては、ナット２９が図８に示し連結工具６０を用いて固定ボルト２８に締め付けられる。この連結工具６０は、工具軸６１と、工具軸６１の基端部に設けられた操作部６２と、工具軸６１の先端部に設けられたソケット部６３を有する。このソケット部６３は、ナット２９が相対回転不能に係合（嵌合）させられるようになっている。尚、短柱２２（２２ａ，２２ｂ）は、作業者が一方の手で工具軸６１の上端部を把持した状態で、他方の手で工具軸６１のソケット部６３を固定ボルト２８に螺着したナット２９に容易に係合させることができる長さとなるように、短く形成されている。
【００２７】
更に、図７に示したように、妻側面材取付梁２３の上部を覆う矢印Ｄ１の上カバー１９には２つ（複数）のアンカー材２６に対応して挿通孔１９ａが形成され、桁側面材取付梁２４の上部を覆う矢印Ｄ２の上カバー１９には４つ（複数）のアンカー材２７に対応して挿通孔１９ａが形成されている。
【００２８】
また、妻側面材取付梁２３および桁側面材取付梁２４は、図９，図１０に示したように、上面および側面の上部が板状の防水部材（防水板）３０で覆われている（図３，図４参照）。この防水部材３０の側部は、水切りカバー１７及び外側カバー１８と共に妻側面材取付梁２３（および桁側面材取付梁２４）に固定ネジ２０，２１で固定されている。
【００２９】
尚、図３，図４において、防水部材３０のバルコニー床部材１２側の側部には、バルコニー床部材１２の防水シート１２ａの周縁部に設けた起立部１２ａ１が固着されている。しかも、桁側面材取付梁２４の外側面と根太支持部材７との間は、桁側面材取付梁２４と根太支持部材７に固定した防水部材３１で覆われている。また、防水部材３１は妻側面材取付梁２３側にも設けられる。また、妻側面材取付梁２３のアンカー材２６や桁側面材取付梁２４のアンカー材２７は防水部材３０の貫通孔３０ａを介して上方に突出している。
【００３０】
更に、防水部材３０上には、図９，図１０に示したように、貫通孔３０ａおよびその周囲を覆う防水シート３３が配設されている。この防水シート３３には、アンカー材２６（又はアンカー材２７）の外周面に嵌合された筒状防水部３３ａが設けられている（図１１，図１５参照）。
【００３１】
＜上手摺壁１５，１５′＞
図１の妻側の上手摺壁１５は、図７に示したように一つの手摺面材４２と、手摺面材４２の上方に配設される笠木４３を有する。この笠木４３は、上妻梁４と略同じ長さに形成されている。
【００３２】
また、図１の桁側の上手摺壁１５′は、図７に示したように２つ（複数）の手摺面材４４と、手摺面材４４の上方に配設される笠木４５を有する。この笠木４５は、上桁梁５と略同じ長さに形成されていて、複数の手摺面材４４に跨がるように配設される。
【００３３】
（手摺面材４２，４４の構造）
図３Ａは手摺面材の側部の手摺支柱への取付を示す要部拡大説明図、図３Ｂは図３Ａを左側から見た手摺面材の隣接部の説明図、図３Ｃは図３Ｂの隣接する手摺面材と支柱との関係を示す部分斜視図である。また、図３Ｄは、図３Ａの手摺面材の水平方向の中間部と手摺支柱との取付関係を示す断面図、図３Ｅは図３Ｄの左側面図、図３Ｆは図３Ｄの手摺面材と支柱との関係を示す部分斜視図である。
【００３４】
更に、図３Ｇは図３Ａの手摺面材に用いられる横桟（面材パネル）の縦断面図、図３Ｈは図３Ａの手摺面材における最上部の横桟（面材パネル）と手摺支柱との関係を示す部分拡大説明図である。また、図３Ｉ（ａ）は手摺面材の横桟（面材パネル）の比較例、図３Ｉ（ｂ）は図３Ａの手摺面材における横桟（面材パネル）の作用説明図である。図３Ｊ（ａ）は図３Ａの手摺面材の横桟（面材パネル）に作用する荷重派生対象者の足の幅の説明図、図３Ｊ（ｂ）は図３Ｊ（ａ）の平面図、図３Ｊ（ｃ）は図３Ｊ（ａ）の横桟の高さ、厚さ、及び荷重の作用範囲を示す説明図である。
【００３５】
バルコニー床部材（バルコニー床）１２の上方には図１（ｂ）に示したように手摺壁１３で囲まれた内側空間（バルコニー空間）ＳＩが形成されている。この内側空間ＳＩに対して手摺壁１３の外側が外側空間ＳＯとなる（図３，図３Ａ，図３Ｄ参照）。バルコニー床部材１２の周縁部は内側空間ＳＩと外側空間ＳＯとの境界となる。そして、この境界は、図７に示す妻側面材取付梁２３、桁側面材取付梁２４、倒れ防止梁２５の部分になる。そして、この境界には、上述したアンカー材２６，２６（又は複数のアンカー材２７）が図７に示すように間隔をおいて設けられている。また、上述したバルコニー１１の手摺壁１３が内側空間ＳＩと外側空間ＳＯを区画する空間区画構造として設けられている。
【００３６】
この手摺壁１３の手摺面材４２，４４は、図７に示したように面材取付枠４６と、上下に間隔をおいて面材取付枠４６に取り付けられる複数枚の面材パネル（横桟）４７を有する（図１２，図１３参照）。
【００３７】
面材取付枠４６は、図７に示したように、縦側枠４６ａと、縦側枠４６ａ，４６ａ間に平行に配設した平面形状がＺ状の縦中枠４６ｂ（図３Ｄ〜図３Ｆ参照）と、上下に間隔をおいて平行に縦側枠４６ａ，４６ａ間に取り付けられた複数のパネル取付桟４６ｃを有する。このパネル取付桟４６ｃは、厚さが非常に薄く形成されている。
【００３８】
横桟としての面材パネル（横桟）４７は、横方向に延びる板部４７ａと、板部４７ａの上縁に沿って裏面に長手方向両端まで設けられた上中空突出縁部４７ｂと、板部４７ａの下縁に沿って裏面に長手方向両端まで設けられた下中空突出縁部４７ｃを有する。
【００３９】
この上中空突出縁部４７ｂの上面４７ｂ１は、図３Ａ，図３Ｃに示したように、水切りのために、内側空間ＳＩ側から外側空間側ＳＯへの下り傾斜面とされている（図３Ｂ参照）。これにより、上中空突出縁部４７ｂの上面４７ｂ１は、雨滴等が滞留せずに流れ落ちるようになっていると共に、外側空間ＳＯ側から見た面材パネル（横桟）４７の外観を見栄えの良い意匠にしている。
【００４０】
この上中空突出縁部４７ｂと下中空突出縁部４７ｃの間隔は、パネル取付桟４６ｃ，４６ｃの間隔に設定されている。そして、上中空突出縁部４７ｂと下中空突出縁部４７ｃを上下で隣接するパネル取付桟４６ｃ、４６ｃに固定ネジ等の固定手段で固定することにより、面材パネル（横桟）４７を面材取付枠４６に取り付けることができる。この面材パネル（横桟）４７は、面材パネル（横桟）４７の高さよりも狭い間隔Ｌ（図３，図３Ｉ参照）で上下に複数設けられている。しかも、この複数の面材パネル（横桟）４７は互いに平行に設けられている。
【００４１】
尚、図３Ａ〜図３Ｆは、面材取付枠４６のパネル取付桟４６ｃを省略して、縦側枠４６ａ、縦中枠４６ｂに複数の面材パネル（横桟）４７を上下に間隔をおいて平行に取り付けた例を示している。
【００４２】
また、上面の内側空間側縁部には、図３Ａ〜図３Ｃに示したように、内側空間側縁部に沿って延び且つ上方に突出する垂直小突出片４７ｄが一体に設けられている。この垂直小突出片４７ｄの上端の側縁部は、図３Ｇ，図３Ｈに示したように、Ｒ状に形成されていて、怪我をしないようになっている。
【００４３】
この垂直小突出片４７ｄの高さｌ及び厚さｈは、垂直突小突出片４７ｄが上方から作用する所定の加重で座屈しない（潰れない）寸法に設定されている。本実施例では、図３Ｊ（ａ）、図３Ｊ（ｃ）に示したように、垂直小突出片４７ｄの高さがｌ＝２．７ｍｍで、垂直小突出片４７ｄの幅（厚さ）が１．１ｍｍに設定されている。
【００４４】
この垂直小突出片４７ｄの座屈荷重（潰れる荷重）Ｐｃｒを求める場合、荷重発生対象者の指部（足指）が垂直小突出片４７ｄに係る幅寸法が必要となる。この幅寸法を求める場合、即ち図３Ｊ（ａ）、（ｂ）におけるように荷重発生対象者が足８０の指部８０ａを垂直小突出片４７ｄに掛けて図３の手摺壁１３をよじ登ろうとする場合、日本機械工業連合会のデータを利用できる。この場合において、垂直小突出片４７ｄにかかる足８０（荷重発生対象者の足）の指部８０ａの幅寸法をＡとすると、１０歳児の足８０の指部８０ａ（足指）の幅寸法Ａの９５パーセンタイル値（男女計のデータによる値）は日本機械工業連合会のデータによれば４４．０ｍｍとなる。この幅寸法Ａ＝４４．０の範囲において、図３Ｊの（ｂ）のように１０歳児の足８０からの荷重Ｐが垂直小突出片４７ｄに作用する。
【００４５】
従って、１０歳児の荷重発生対象者が足８０の指部８０ａを垂直小突出片４７ｄに掛けて図３の手摺壁１３をよじ登ろうとしたとき、垂直小突出片４７ｄの座屈荷重（潰れる荷重）Ｐｃｒは、
【数１】
2018066266.tif 000003
として求めることができる。ここで、垂直小突出片４７ｄを有する面材パネル（横桟）４７の材質は、６０６３Ｓ−Ｔ５のアルミ材とする。
【００４６】
この座屈荷重Ｐｃｒが１０歳児（荷重発生対象者）の体重よりも大きければ、１０歳児（荷重発生対象者）が足８０の指部８０ａを垂直小突出片４７ｄに掛けて図３の手摺壁１３をよじ登ろうとしても、垂直小突出片４７ｄは座屈しない（潰れない）。
【００４７】
この際、荷重発生対象者の体重の平均値（男女で重い方の平均値）をＷｋｇとし、体重の標準偏差値をσとして、荷重発生対象者の体重を求める。例えば、１０歳児の荷重発生対象者で座屈荷重Ｐｃｒを求める場合、社団法人日本機械工業連合会のデータによれば、１０歳児の体重の平均値Ｗは３４．０ｋｇ、標準偏差値σは６．９０ｋｇである。この１０歳児の体重は、
１０歳児の体重＝平均値＋３σ＝３４．０＋３×６．９０＝５４．７ｋｇとなる。
【００４８】
従って、本実施例におけるように垂直小突出片４７ｄの高さが２．７ｍｍ、垂直小突出片４７ｄの幅（厚さ）が１．１ｍｍに設定されている場合、
座屈荷重Ｐｃｒ＝１１５７ｋｇ＞＞１０歳児の体重５４．７ｋｇ
となるので、垂直小突出片４７ｄは座屈しない（潰れない）。
【００４９】
しかも、本実施例におけるように垂直小突出片４７ｄの高さが２．７ｍｍ、垂直小突出片４７ｄの幅（厚さ）が１．１ｍｍに設定されている場合、１０歳児が手摺壁１３をよじ登れない。即ち、この垂直小突出片４７ｄの高さ及び厚さの値は、垂直小突出片４７ｄの上面の横方向における単位寸法当たりの面積が、加重を作用させることが不可能となる所定以上の反力を荷重発生対象者の足８０である小学生や幼児等の荷重発生対象者の足８０に対して作用させることが可能な広さに設定されている。
【００５０】
尚、１０歳児の荷重発生対象者が手摺壁１３をよじ登れる寸法とよじ登れない寸法の垂直小突出片４７ｄは、例えば表１のようになる。
【表１】
2018066266.tif 000004
尚、この数値に限定されない。例えば、高さは２〜３．５ｍｍの範囲でも良いし、幅は１．１ｍｍに近い値（例えば１．１１〜１．２ｍｍの範囲の値）でも良い。
【００５１】
このような手摺面材４２には、図７に示したように、上下に延びる複数（少なくとも２つ）の手摺支柱４８，４８が縦側枠４６ａ，４６ａを介して支持部として取り付けられる。
【００５２】
また、図３Ｂ，図３Ｃに示したように、隣接する手摺面材４４，４４の一方の一側部には手摺支柱４８が縦側枠４６ａを介して支持部として取り付けられ、隣接する手摺面材４４，４４の縦側枠４６ａ，４６ａは図示を省略した転結ネジで互いに固定されている。
【００５３】
また、図３Ｃ、図３Ｆに示したように手摺面材４４の水平方向の中間部には縦中枠４６ｂが固定され、これに対応する手摺支柱４８の外面には平面形状がコ字状（Ｕ字状）の縦取付部材４８ａが固定ネジで取り付けられている。そして、この縦取付部材４８ａに縦中枠４６ｂを固定ネジで固定することにより、手摺支柱４８が縦中枠４６ｂを介して支持部として取り付けられている（図１５参照）。これらの手摺面材４２，４４は、手摺支柱４８を介して建物ユニット１Ａに固定された面材取付部材１６に取り付けられる。
【００５４】
このような手摺面材４２，４４に取り付けられた手摺支柱４８をアンカー材２６，２７等に取り付けるには、環状スペーサ４９が用いられる。この環状スペーサ４９は、方形筒状の嵌合筒部４９ａと、嵌合筒部４９ａの上端部に外方に向けて突設された上係止部４９ｂと、嵌合筒部４９ａの下端部に内方に向けて突設された下係止部４９ｃから、断面形状がＺ型形状に形成されている。
【００５５】
そして、図１２に示したように、手摺面材４２（４４）に固定した手摺支柱４８の下端部を環状スペーサ４９の嵌合筒部４９ａに嵌合して、この手摺支柱４８の下端を環状スペーサ４９の下係止部４９ｃに当接させる。このようにして、環状スペーサ４９を手摺支柱４８の下端部に取り付ける。
【００５６】
次に、図９〜図１１に示したように、手摺支柱４８をアンカー材２６（２７）に対して上方から外嵌することにより、アンカー材２６（２７）が手摺面材４２（４４）の手摺支柱４８内に下端から挿入された状態となる。これにより、手摺面材４２，４４が内側空間ＳＩと外側空間ＳＯとの境界に配設された状態となる。
【００５７】
また、環状スペーサ４９の嵌合筒部４９ａが上カバー１９の挿通孔１９ａに嵌合挿通させられている。さらに、アンカー材２６の高さは手摺支柱４８の高さよりも充分に低く設けられ、即ちアンカー材２６の長さは手摺支柱４８の長さよりも充分短く形成されている。これにより、アンカー材２６は手摺支柱４８の下端部内に嵌合されるので、手摺支柱４８とアンカー材２６の嵌合作業時に手摺支柱４８を高く持ち上げる必要がない。このため、手摺支柱４８とアンカー材２６の嵌合作業が容易となる。
【００５８】
しかも、環状スペーサ４９の上係止部４９ｂを上カバー１９の上面に係止させられている（図１４参照）。これにより、手摺支柱４８が環状スペーサ４９を介して上カバー１９に係止保持される。この状態で、手摺支柱４８の下端部をアンカー材２６（２７）に固定ネジ５０で固定することにより、手摺面材４２（４４）が妻側面材取付梁２３（および桁側面材取付梁２４）に取り付けられている。
【００５９】
この環状スペーサ４９は、アンカー材２６（２７）の根元を覆っている防水シート３３を突き破ることなく手摺支柱４８及び手摺面材４２（４４）等の高さ方向の位置決めを可能にしていると同時に、下枠である上カバー１９の挿通孔１９ａ内面と手摺支柱４８との間のすき間を隠すことができる。
【００６０】
また、図３Ｂ，図３Ｃに示したように桁側の隣接する手摺面材４４，４４は縦側枠４６ａ，４６ａが図示を省略したネジで互いに固定されている。更に、図３Ａ〜図３Ｃに示したように、桁側の隣接する手摺面材４４，４４の突き合せ部分の上端、即ち手摺面材４４，４４の上端の隣接する面材パネル（横桟）４７，４７は、樹脂製のカバー７０で覆われている。
【００６１】
このカバー７０は、図３Ｃのように、隣接する手摺面材４４，４４の縦側枠４６ａ，４６ａの上端を覆う水平板部７０ａと、隣接する面材パネル（横桟）４７，４７の上面４７ｂ１，４７ｂ１を覆う傾斜板部７０ｂと、水平板部７０ａと傾斜板部７０ｂとの間に設けられて隣接する手摺面材４４，４４の垂直小突出片４７ｄ，４７ｄに嵌合する膨出突部７０ｃを有する（図３Ｈ参照）。このカバー７０は、図示しないネジ等で縦側枠４６ａ又は面材パネル（横桟）４７，４７の上中空突出縁部４７ｂに固定されている。
【００６２】
[手摺壁１３の取付]
次に、このような構成のバルコニー１１における手摺壁１３の建物ユニット１Ａへの取り付けを説明する。
【００６３】
・下手摺壁１４の構築
手摺壁１３の下手摺壁１４の構築に際しては、面材取付部材１６は短柱２２（２２ａ，２２ｂ）を支柱３の上端に取り付ける。この取り付けに際しては、先ず、建物ユニット１Ａの支柱（柱材）３の上端に設けた端壁３ａ上にスペーサ６４を配設し、このスペーサ６４上に短柱２２（２２ａ，２２ｂ）の下壁Ｌｗを配設（載置）する（図８参照）。この際、スペーサ６４を貫通させた固定ボルト２８を下壁Ｌｗのボルト挿通孔Ｂｓｗに挿通させる。この後、点検穴Ｖｈから短柱２２（２２ａ，２２ｂ）内にナット２９を配設して、このナット２９を固定ボルト２８の上端部に螺着する。
【００６４】
この状態で、連結工具６０のソケット部６３および工具軸６１を短柱２２（２２ａ，２２ｂ）の上壁Ｕｗの貫通孔Ｈのネジ穴Ｓｗを介して空間Ｓａ内に挿入する。そして、作業者は、一方の手で工具軸６１の上端部を把持した状態で、他方の手で工具軸６１のソケット部６３を固定ボルト２８に螺着したナット２９に係合させる補助をさせる。尚、貫通孔Ｈは短いので、ソケット部６３をナット２９に係合させる補助を行わなくても、ソケット部６３をナット２９に迅速に係合させることが可能である。
【００６５】
この後、操作部６２により工具軸６１を軸線周りに回転操作することにより、ナット２９を締め付け固定する。このような操作により、短柱２２（２２ａ，２２ｂ）は建物ユニット１Ａの支柱３上に固定される。これにより面材取付部材１６の妻側面材取付梁２３および桁側面材取付梁２４は図７に示したように建物ユニット１Ａの上妻梁４及び上桁梁５に沿って配設される。
【００６６】
この妻側面材取付梁２３および桁側面材取付梁２４上に図９，図１０に示したように防水部材３０を配設し、この妻側面材取付梁２３（桁側面材取付梁２４）に設けたアンカー材２６（２７）を防水部材３０に設けた貫通孔３０ａに挿通して上方に突出させる。そして、防水シート３３の筒状防水部３３ａをアンカー材２６（２７）嵌合させて、この防水シート３３を防水部材３０上に配設し、この防水部材３０の貫通孔３０ａを防水シート３３で覆わせる。この際、防水シート３３は、妻側面材取付梁２３（桁側面材取付梁２４）の側面に沿うように防水部材３０の側面まで配設する。
【００６７】
この状態で、桁側面材取付梁２４に設ける防水部材３０及び防水シート３３は、側部を水切りカバー１７及び外側カバー１８と共に桁側面材取付梁２４の内側面（バルコニー床部材側面）と外側面に固定ネジ２０，２１で固定する。同様にして、妻側面材取付梁２３への防水部材３０，防水シート３３および水切りカバー１７，外側カバー１８の取り付けも行う。これにより、下手摺壁１４が建物ユニット１Ａの上面の周縁に形成される。
【００６８】
・上手摺壁１５
次に、図１２に示したように、手摺面材４２（４４）に固定した手摺支柱４８の下端部を環状スペーサ４９の嵌合筒部４９ａに嵌合して、この手摺支柱４８の下端を環状スペーサ４９の下係止部４９ｃに当接させる。このようにして、環状スペーサ４９を手摺支柱４８の下端部に取り付ける。
【００６９】
この後、図９〜図１１に示したように、手摺面材４２（４４）に設けた手摺支柱４８をアンカー材２６（２７）が手摺面材４２（４４）の手摺支柱４８内に下端から挿入させる。そして、この環状スペーサ４９の嵌合筒部４９ａを上カバー１９の挿通孔１９ａに嵌合挿通させて、環状スペーサ４９の上係止部４９ｂを上カバー１９の上面に係止させる（図１４参照）。
【００７０】
これにより、手摺支柱４８が環状スペーサ４９を介して上カバー１９に係止保持される。この状態で、手摺支柱４８の下端部をアンカー材２６（２７）に固定ネジ５０で固定することにより、手摺面材４２（４４）が妻側面材取付梁２３（および桁側面材取付梁２４）に取り付けられる。この環状スペーサ４９は、アンカー材２６（２７）の根元を覆っている防水シート３３を突き破ることなく手摺支柱４８及び手摺面材４２（４４）等の高さ方向の位置決めを可能にしていると同時に、下枠である上カバー１９の挿通孔１９ａ内面と手摺支柱４８との間のすき間を隠す。
【００７１】
このようにして、手摺面材４２，４４を妻側面材取付梁２３および桁側面材取付梁２４上に取り付けた後、手摺面材４２，４４の複数の手摺支柱４８上に笠木４５をそれぞれ取り付けることにより、上手摺壁１５が構築される。尚、手摺面材４２に取り付ける笠木４５と手摺面材４４に取り付ける笠木４５は出隅部Ｃ１の部分で垂直に突き合わせる。また、手摺面材４２に取り付ける笠木４５と手摺面材４４に取り付ける笠木４５に出隅部Ｃ１の部分で突き合わせられる斜め突合部（図示せず）を設けて、この斜め突合部同士を突き合わせるようにしてもよい。
【００７２】
［作用］
次に、このような構成のバルコニー１１における手摺壁１３の作用を説明する。
【００７３】
このような手摺壁１３で囲まれるバルコニー１１の内側空間ＳＩは、外側から見たときに手摺面材４２，４４で目隠しされる。
【００７４】
また、手摺壁１３の手摺面材４２，４４等は、水平方向に延びる面材パネル（横桟）４７が上下に複数枚、微小間隔をおいて互いに平行に設けられている。これにより、手摺面材４２，４４は通気性があるので、内側空間ＳＩの空気が淀むことがない。
【００７５】
また、手摺面材４２，４４の面材パネル（横桟）４７は、上面４７ｂ１が内側空間ＳＩ側から外側空間ＳＯ側下方に傾斜させられているので、雨水等は上面４７ｂ１に貯まることなく下方に流下させられる。しかも、この上面４７ｂ１が傾斜することで、手摺面材４２，４４等を外側から見たときに、見栄えが良い。
【００７６】
ところで、手摺壁１３に図３Ｉの（ａ）に示した手摺面材４２′（４４′）を用いた場合と、手摺壁１３に図３Ｉの（ｂ）に示した本実施例にかかる手摺面材４２（４４）を用いた場合を比較してみる。
【００７７】
この図３Ｉの（ａ）に示した手摺面材４２′（４４′）は、本実施例にかかる手摺面材４２（４４）と類似した構造を有する場合を想定したもので、手摺面材４２（４４）と類似する部分に「′」を付している。しかも、面材パネル（横桟）４７′,４７′間の間隔は１５ｍｍに設定されている。
【００７８】
この手摺面材４２（４４）では、面材パネル（横桟）４７′における上中空突出縁部４７ｂ′の上面４７ｂ１′が室内側傾斜部Ｄ１と室外側傾斜部Ｄ２を有する。しかも、室外側傾斜部Ｄ２の上端の突出部Ｄ２ａが室内側傾斜部Ｄ１に対して上方に段差を有して突出している状態としている。
【００７９】
この面材パネル（横桟）４７′では、室外側傾斜部Ｄ２の上端の突出部Ｄ２ａが上方に突出しているとはいっても、この室内側傾斜部Ｄ１と室外側傾斜部Ｄ２が略連続しているので、小学生や幼児等が足を上中空突出縁部４７ｂ′に掛けてよじ登ることができる。
【００８０】
これに対して、手摺壁１３に図３Ｉの（ｂ）に示した本実施例にかかる手摺面材４２（４４）では、面材パネル（横桟）４７,４７間の間隔は１３ｍｍに設定されている。しかも、面材パネル（横桟）４７の上面４７ｂ１に設けた垂直小突出片４７ｄが内側空間ＳＩ側に設けられている。更に、垂直小突出片４７ｄの高さ及び厚さは、垂直小突出片４７ｄが垂直小突出片４７ｄに上方から作用する所定の加重で潰れない寸法で、且つ、垂直小突出片４７ｄの上面の横方向における単位寸法当たりの面積が、加重を作用させることが不可能となる所定以上の反力を幼児等の加重発生対象の足に対して作用させることが可能な広さに設定されている。例えば、垂直小突出片４７ｄは、高さが２．７ｍｍ、幅が１．１ｍｍに設定されている。
【００８１】
これにより、幼児等が手摺面材４２，４４の面材パネル（横桟）４７に足を掛けて手摺壁１３をよじ登ろうとしたとき、垂直小突出片４７が潰れたり変形したりすることはない。
【００８２】
しかも、幼児等が手摺面材４２，４４の面材パネル（横桟）４７に図１３Ｊのように足８０を掛けて図３の手摺壁１３をよじ登ろうとしても、足８０の指部８０ａを垂直小突出片４７ｄに掛けたときに、足８０が上中空突出縁部４７ｂの傾斜する上面４７ｂ１に係ることはないので、足８０が垂直小突出片４７ｄに僅かに食い込んで、足に体重を支えることが困難になる痛みを与えるので、幼児が手摺壁１３をよじ登ることができない。
【００８３】
＜この発明の実施の形態の作用・効果＞
（１）．この発明の実施の形態の建物用空間区画構造は、内側空間ＳＩと外側空間ＳＯを区画する境界に間隔をおいて設けられた少なくとも２つの支持部（手摺支柱４８）と、互いに平行に設けられ且つ上下に間隔をおいて前記少なくとも２つの支持部（手摺支柱４８）に取り付けられた複数の横桟（面材パネル４７）を備えている。しかも、前記各横桟（面材パネル４７）の上面（４７ｂ１）が前記内側空間（ＳＩ）側から前記外側空間（ＳＯ）側への下り傾斜面とされ、前記横桟（面材パネル４７）の前記内側空間側縁部に沿って延び且つ上方に突出する垂直小突出片（４７ｄ）が前記上面（４７ｂ１）の内側空間側縁部に一体に設けられている。
【００８４】
この構成によれば、横桟（面材パネル４７）は各横桟（面材パネル４７）の上面（４７ｂ１）が前記内側空間（ＳＩ）側から前記外側空間（ＳＯ）側への下り傾斜面とされているので、意匠上の見栄えが良くなる。しかも、横桟（面材パネル４７）の上面（４７ｂ１）の内側空間側縁部には、横桟（面材パネル４７）の内側空間側縁部に沿って延び且つ上方に突出する垂直小突出片（４７ｄ）が一体に設けられているので、子供や幼児等の加重発生対象者が垂直小突出片（４７ｄ）に足を掛けてよじ登ろうとしたとき、子供や幼児等の加重発生対象者の体重が足の狭い範囲から垂直小突出片（４７ｄ）に作用するため、足掛かりになるのを防止できる。
【００８５】
（２）．この発明の実施の形態の建物用空間区画構造において、前記垂直小突出片（４７ｄ）の高さ及び厚さは、前記垂直小突出片（４７ｄ）が該垂直小突出片（４７ｄ）に上方から作用する所定の加重で潰れない寸法で、且つ、前記垂直小突出片（４７ｄ）の上面の横方向における単位寸法当たりの面積が、前記加重を作用させることが不可能となる所定以上の反力を加重発生対象者に対して作用させることが可能な広さに設定されている。
【００８６】
この構成によれば、子供や幼児等の加重発生対象者が垂直小突出片（４７ｄ）に足を掛けてよじ登ろうとしたとき、垂直小突出片（４７ｄ）が該垂直小突出片（４７ｄ）に上方から作用する所定の加重で潰れないので、手摺（手摺面材４２，４４）の意匠上の外観が損なわれるのを防止できる。
【００８７】
（３）．この発明の実施の形態のバルコニー手摺構造は、内側空間（ＳＩ）が建物のバルコニーの手摺（手摺壁１３）で囲まれるバルコニー空間であり、前記手摺（手摺壁１３）が前記建物用空間区画構造である手摺面材（４２，４４）を備えている。
【００８８】
この構成によれば、上述した（１），（２）の効果を有するバルコニー手摺構造を提供できる。
【符号の説明】
【００８９】
１  ユニット建物
１Ａ  建物ユニット
１Ａ〜１Ｇ  建物ユニット
１１  バルコニー
１２  バルコニー床部材（バルコニー床）
１３  手摺壁
４２  手摺面材
４４  手摺面材
４７ 面材パネル（横桟）
４７ａ 板部
４７ｂ 上中空突出縁部
４７ｂ１ 上面
４７ｃ 下中空突出縁部
４７ｄ 垂直小突出片
４８  手摺支柱
ＳＩ 内側空間（バルコニー空間）
ＳＯ 外側空間
ｈ 厚さ
ｌ 高さ
【図１】
2018066266.tif 000005
【図２】
2018066266.tif 000006
【図３】
2018066266.tif 000007
【図３Ａ】
2018066266.tif 000008
【図３Ｂ】
2018066266.tif 000009
【図３Ｃ】
2018066266.tif 000010
【図３Ｄ】
2018066266.tif 000011
【図３Ｅ】
2018066266.tif 000012
【図３Ｆ】
2018066266.tif 000013
【図３Ｇ】
2018066266.tif 000014
【図３Ｈ】
2018066266.tif 000015
【図３Ｉ】
2018066266.tif 000016
【図３Ｊ】
2018066266.tif 000017
【図４】
2018066266.tif 000018
【図５】
2018066266.tif 000019
【図６】
2018066266.tif 000020
【図７】
2018066266.tif 000021
【図８】
2018066266.tif 000022
【図９】
2018066266.tif 000023
【図１０】
2018066266.tif 000024
【図１１】
2018066266.tif 000025
【図１２】
2018066266.tif 000026
【図１３】
2018066266.tif 000027
【図１４】
2018066266.tif 000028
【図１５】
2018066266.tif 000029